(57)【要約】エレベータ（２０）用のブレーキ装置（１４０）が開示される。装置（１４０）は、モータ（３６）と、ブレーキシステム（５２）と、第１のスイッチ（１４８）と、第２のスイッチ（１５０）とを備える。モータ（３６）は、逆起電力を生成することができ得る。ブレーキシステム（５２）は、電力供給されると非係合位置に移動することができ、電力遮断されると係合位置に移動することができる。第１および第２のスイッチ（１４８、１５０）は、開状態を有し得る。開状態では、スイッチ（１４８、１５０）は、モータ（３６）の逆起電力がブレーキシステム（５２）に電力供給できるように、モータ（３６）をブレーキシステム（５２）に電気的に接続する。
2013527100.tif 000002
【特許請求の範囲】
【請求項１】
逆起電力を生成することができるモータ（３６）と、
非係合および係合位置を有するブレーキシステム（５２）であって、電力供給されると非係合位置に移動し、電力遮断されると係合位置に移動するブレーキシステム（５２）と、
開状態を有する第１および第２のスイッチ（１４８、１５０）であって、開状態では、モータ（３６）の逆起電力がブレーキシステム（５２）に電力供給することを可能とするように、モータ（３６）をブレーキシステム（５２）に電気的に接続する第１および第２のスイッチ（１４８、１５０）と、
を備えることを特徴とする、エレベータ（２０）用のブレーキ装置（１４０）。
【請求項２】
モータ（３６）に電力供給することができるモータ駆動装置（１４２）と、ブレーキシステム（５２）に電力供給することができるブレーキ駆動装置（１４４）とをさらに備えることを特徴とする請求項１記載の装置。
【請求項３】
第１および第２のスイッチ（１４８、１５０）は、さらに閉状態を備えており、閉状態では、第１のスイッチ（１４８）は、モータ駆動装置（１４２）がモータ（３６）に電力供給することを可能とし、第２のスイッチ（１５０）は、ブレーキ駆動装置（１４４）がブレーキシステム（５２）に電力供給することを可能とすることを特徴とする請求項２記載の装置。
【請求項４】
モータ駆動装置（１４２）、ブレーキ駆動装置（１４４）、第１のスイッチ（１４８）、および第２のスイッチ（１５０）は、電源（５６）によって電力供給されることを特徴とする請求項２記載の装置。
【請求項５】
モータ（３６）は、永久磁石モータ（２３６）であることを特徴とする請求項１記載の装置。
【請求項６】
ブレーキシステム（５２）は、電気機械的ブレーキシステム（２５２）であることを特徴とする請求項１記載の装置。
【請求項７】
電気機械的ブレーキシステム（２５２）は、ブレーキコイル（２５２ａ）を備えており、ブレーキコイル（２５２ａ）は、付勢されるとブレーキシステム（２５２）を非係合にし、消勢されるとブレーキシステム（２５２）を係合にすることを特徴とする請求項６記載の装置。
【請求項８】
第１および第２のスイッチ（１４８、１５０）は、電源（５６）に電気的に接続されており、電源（５６）は、第１および第２のスイッチ（１４８、１５０）を電力遮断して、第１および第２のスイッチ（１４８、１５０）を開状態に移行させることを特徴とする請求項１記載の装置。
【請求項９】
第１および第２のスイッチ（１４８、１５０）は、安全チェーン（５４）に電気的に接続されており、安全チェーン（５４）が、第１および第２のスイッチ（１４８、１５０）に故障モードの信号を送ることで、第１および第２のスイッチ（１４８、１５０）を開状態に移行させることを特徴とする請求項１記載の装置。
【請求項１０】
開状態では、モータ（３６）は、信号変換器（１４６）を間に介してブレーキシステム（５２）に電気的に接続され、信号変換器（１４６）は、モータ（３６）の逆起電力を、ブレーキシステム（５２）によって受け取られる許容可能な形態に変換することができることを特徴とする請求項１記載の装置。
【請求項１１】
信号変換器（１４６）は、変圧器（２５８）および整流器（２６０）を備えることを特徴とする請求項１０記載の装置。
【請求項１２】
エレベータかご（３０）と、
エレベータ（２０）に関連するモータ（３６）であって、逆起電力を生成することができるモータ（３６）と、
モータ（３６）に作動的に接続され、非係合および係合位置を有し、電力供給されると非係合位置に移動し、電力遮断されると係合位置に移動するブレーキシステム（５２）であって、非係合位置では、モータ（３６）は自由に回転し、係合位置では、モータ（３６）は回転が防止される、ブレーキシステム（５２）と、
モータ（３６）およびエレベータかご（３０）に作動的に接続される引張り部材（４８）であって、モータ（３６）の回転によって、エレベータかご（３０）を移動させる、引張り部材（４８）と、
開状態を有する第１および第２のスイッチ（１４８、１５０）を備える電子制御装置（３８）であって、開状態では、モータ（３６）の逆起電力がブレーキシステム（５２）に電力供給することを可能とするように、第１および第２のスイッチ（１４８、１５０）がモータ（３６）をブレーキシステム（５２）に電気的に接続する、電子制御装置（３８）と、
を備えることを特徴とする、ブレーキ装置（１４０）を有するエレベータ（２０）。
【請求項１３】
電子制御装置（３８）は、モータ（３６）に電力供給することができるモータ駆動装置（１４２）と、ブレーキシステム（５２）に電力供給することができるブレーキ駆動装置（１４４）とをさらに備えることを特徴とする請求項１２記載のエレベータ。
【請求項１４】
電子制御装置（３８）に電気的に接続されており、モータ駆動装置（１４２）、ブレーキ駆動装置（１４４）、第１のスイッチ（１４８）、および第２のスイッチ（１５０）に電力供給することができる電源（５６）をさらに備えることを特徴とする請求項１３記載のエレベータ。
【請求項１５】
第１および第２のスイッチ（１４８、１５０）は、さらに閉状態を備えており、閉状態では、第１のスイッチ（１４８）は、モータ駆動装置（１４２）がモータ（３６）に電力供給することを可能とし、第２のスイッチ（１５０）は、ブレーキ駆動装置（１４４）がブレーキシステム（５２）に電力供給することを可能とすることを特徴とする請求項１３記載のエレベータ。
【請求項１６】
電子制御装置（３８）に電気的に接続されており、第１および第２のスイッチ（１４８、１５０）を開状態に移行させるように電子制御装置（３８）に故障モードを示す信号を送ることができる安全チェーン（５４）をさらに備えることを特徴とする請求項１２記載のエレベータ。
【請求項１７】
モータ（３６）は、永久磁石モータ（２３６）であることを特徴とする請求項１２記載のエレベータ。
【請求項１８】
逆起電力を生成することができるモータ（３６）を提供し、
非係合および係合位置を有するブレーキシステム（５２）であって、電力供給されると非係合位置に移動し、電力遮断されると係合位置に移動するブレーキシステム（５２）を提供し、
モータ（３６）をブレーキシステム（５２）に電気的に接続し、
モータ（３６）の逆起電力からエレベータ（２０）のためのブレーキトルクを生成し、
モータ（３６）の逆起電力でブレーキシステム（５２）に電力供給し、
逆起電力がエレベータ（２０）のためのブレーキトルクへと散逸する間にブレーキシステム（５２）を係合位置へと解放する、
ことを含むことを特徴とする、エレベータ（２０）の制御された停止方法。
【請求項１９】
モータ（３６）をブレーキシステム（５２）に電気的に接続することは、第１および第２のスイッチ（１４８、１５０）を開状態に移行させることで実行され、開状態では、第１および第２のスイッチ（１４８、１５０）は、間に信号変換器（１４６）を有し、信号変換器（１４６）は、逆起電力を、ブレーキシステム（５２）によって受け取られる許容可能な形態に変換することができることを特徴とする請求項１８記載の方法。
【請求項２０】
ブレーキシステム（２５２）を係合位置へと解放することは、逆起電力が、ブレーキシステム（２５２）内のブレーキコイル（２５２ａ）を付勢するのに不十分になると実行されることを特徴とする請求項１８記載の方法。
【発明の詳細な説明】
【技術分野】
【０００１】
本開示は、一般にブレーキ装置に関し、特にエレベータと共に使用するためのブレーキ装置に関する。
【背景技術】
【０００２】
現代社会では、エレベータは、複数階層の建物内で乗客や荷物を運ぶためのどこにでもある装置となっている。エレベータは一日中連続して作動され、様々な階床で頻繁に停止するので、エレベータのブレーキシステムは、エレベータの円滑な作動にとって重要な役割を果たしている。
【０００３】
エレベータまたは他のベルト駆動システムなどのギアレス装置は一般に、停止するためにまたは特定の移動を一時的に保持するために機械的または電気機械的ブレーキシステムを用いる。エレベータの電気機械的ブレーキは例えば、一般に、固定された位置にエレベータかごを保持しまたは速度低下させるのに十分な保持またはブレーキトルクを供給するクラッチ型ブレーキ機構を用いる。クラッチ型ブレーキによって供給されるブレーキトルクは、機械シャフトに固定して取り付けられた回転ブレーキディスクと、ブレーキディクスの表面に接触して解放可能に配置された一組の摩擦パッドとの間に生成される摩擦によって機械的に生成される。摩擦パッドの係合または離脱は、ブレーキコイルによって電気機械的に制御される。さらに、ブレーキコイルが付勢されると、電機子プレートと、電磁コアとの間の磁気的引力によって、摩擦パッドは、ブレーキディスクの表面から離脱する。ブレーキコイルが消勢されると、電機子プレートに係合するばねによって、電機子プレートは、ブレーキディスクの表面に係合する。このようなクラッチ型ブレーキは、有効であることが立証されており、エレベータ、および同様のものなどのさまざまなギアレス用途に現在でもなお広く使用されているとはいえ、なお改良の余地がある。
【発明の概要】
【発明が解決しようとする課題】
【０００４】
例えば、特定のクラッチ型ブレーキが可変で付与できるブレーキトルクの範囲は、比較的狭い。例えば、クラッチ型ブレーキは、特定の状況（例えば、緊急停止または同様のものなど）では他の状況（例えば、通常の停止または同様のものなど）と異なる停止能力を提供できない。建物への電力が失われるなどの緊急時には、エレベータは、緊急停止を実行できる必要がある。緊急停止は、突然起こり、エレベータかごを急に停止させ得るので、エレベータかご内で移動している乗客にとって不愉快な経験となり得る。緊急停止はまた、ブレーキシステムを摩滅させる。さらに、このような緊急停止に対処するように設置されたブレーキシステムは、嵩張りかつ費用が掛かるはずである。
【０００５】
逆に言えば、クラッチ型ブレーキは、緊急停止の場合より通常の停止について低減された停止能力を提供できない。通常のクラッチ型ブレーキは、その定格トルクが制限されており、この定格トルクは、ブレーキの不変の機械的制限、その摩擦パッドの材料組成、および同様のものなどによってさらに規定されている。従って、通常の作動では、嵩張った重い責務のブレーキシステムを備えたエレベータは、緊急停止の場合に提供するであろうのと同じブレーキトルクを通常の停止に提供するであろう。従って、エレベータかごおよびその中の乗客は、ブレーキシステムがエレベータを停止させるために係合されるたびに、急な停止を経験し得る。従って、要するに、クラッチ型ブレーキは、ブレーキトルクの制御または変動を提供しない。
【０００６】
上述を考慮して、システムに対する最小のひずみでエレベータを円滑に停止させる改良の追及が続いている。
【課題を解決するための手段】
【０００７】
本開示の一態様によれば、エレベータ用のブレーキ装置が開示される。装置は、モータと、ブレーキシステムと、第１のスイッチと、第２のスイッチとを備える。モータは、逆起電力を生成することができ得る。ブレーキシステムは、電力供給されると非係合位置に移動することができ、電力遮断されると係合位置に移動することができる。第１および第２のスイッチは、開状態を有し得る。開状態では、スイッチは、モータの逆起電力がブレーキシステムに電力供給できるように、モータをブレーキシステムに電気的に接続する。
【０００８】
本開示の別の態様によれば、ブレーキ装置を有するエレベータが開示される。エレベータは、エレベータかごと、モータと、モータに作動的に接続されるブレーキシステムと、モータおよびエレベータかごに作動的に接続される引張り部材と、電子制御装置とを備える。モータは、逆起電力を生成することができる。モータは、ブレーキシステムが非係合位置にあり得るときは、自由に回転することができ、ブレーキシステムが係合位置にあり得るときは、回転が防止されることができる。ブレーキシステムは、電力供給されると非係合位置に移動することができ、電力遮断されると係合位置に移動することができる。モータが回転し始めると、引張り部材がエレベータかごを移動させることができる。電子制御装置は、開状態を有する第１および第２のスイッチを備えることができる。開状態では、第１および第２のスイッチは、モータの逆起電力がブレーキシステムに電力供給できるように、モータをブレーキシステムに電気的に接続することができる。
【０００９】
本開示のさらなる別の態様によれば、エレベータの制御された停止方法が開示される。方法は、逆起電力を生成することができるモータを提供し；  非係合および係合位置を有するブレーキシステムであって、電力供給されると非係合位置に移動し、電力遮断されると係合位置に移動するブレーキシステムを提供し；  モータをブレーキシステムに電気的に接続し；  モータの逆起電力からエレベータのためのブレーキトルクを生成し；  モータの逆起電力でブレーキシステムに電力供給し；  逆起電力がエレベータのためのブレーキトルクへと散逸する間にブレーキシステムを係合位置へと解放する、ことを含むことができる。
【００１０】
本開示のこれらと他の態様は、添付の図面と併せて以下の詳細な説明を読むとより容易に明らかとなるであろう。
【図面の簡単な説明】
【００１１】
【図１】本開示の教示により構成されたエレベータの実施例の図。
【図２】本開示の教示により構成されたエレベータ用のブレーキ装置の実施例の図。
【図３】通常モードで図示された別の実施例のブレーキ装置の図。
【図４】緊急モードで図示された図３の装置の図。
【図５】緊急モード時のブレーキシステムの係合およびブレーキトルクをエレベータに付与する際のモータ減速を示すグラフ。
【図６】緊急モード時に散逸するモータの逆起電力を示すグラフ。
【発明を実施するための形態】
【００１２】
本開示は、さまざまな修正例および代替の構成を実施することができるとはいえ、その特定の例示的な実施例が図面に示されており、以下に詳細に説明される。しかしながら、開示された特定の形態に限定される意図はなく、それどころか、本開示の趣旨および範囲に含まれる全ての修正例、代替の構成、および均等物を含むことを意図していることを理解されたい。
【００１３】
ここで図１を参照すると、エレベータシステム２０が概略的な形態で示される。図１に示されるエレベータ２０の例は、もっぱら例示を目的としており、一般的なエレベータシステムのさまざまな構成要素のための背景技術を提示することを理解されたい。
【００１４】
図１に示されるように、エレベータシステム２０は、複数階層の建物２４内に垂直に設けられた昇降路２２を備えることができる。一般に昇降路２２は、建物２４の中央部分内に設けられた中空の縦方向通路とすることができ、建物が十分な大きさであり複数のエレベータを備える場合は、複数の昇降路が設けられる。レール２６、２８が実質的に昇降路２２の全長に延在することができる。エレベータかご３０が、一対のレール２６（図１では理解しやすいように１つのレール２６のみが示される）上に摺動可能に取り付け可能であり、つり合いおもり３２が、一対のレール２８（図１では理解しやすいように１つのレール２８のみが示される）上に摺動可能に取り付け可能である。図１には詳細に図示されていないとはいえ、当業者は、かご３０およびつり合いおもり３２の両方が、レール２６、２８に沿った円滑な移動のためのローラマウント３４、軸受、または同様のものなどを備えることができることを理解するであろう。ローラマウント、軸受、または同様のものなどはまた、安全な形態でレール２６、２８に摺動可能に取り付け可能である。
【００１５】
かご３０を、従ってかごに積載された乗客および／または荷物を移動するために、モータ３６が一般に、昇降路２２の頂部に設けられ得る。電子制御装置３８が、モータ３６に電気的に接続可能であり、電子制御装置３８は次いで、エレベータかご３０を呼ぶために各階床に設けられた複数のオペレータインターフェース４０および各かご３０の乗客がかご３０の方向を指定できるように各かご３０に設けられた複数のオペレータインターフェース４２に電気的に接続可能である。安全チェーン回路５４および電源５６も、電子制御装置３８に電気的に接続可能である。駆動シャフト４４がモータ３６から機械的に延在することができ、駆動シャフト４４は次いで、トラクションシーブ４６に作動的に接続可能であり、さらに、ブレーキシステム５２に作動的に接続されるように延在することができる。ブレーキシステム５２も、電子制御装置３８に電気的に接続可能である。丸形ロープまたはフラットベルトなどの引張り部材４８が、シーブ４６の周りに掛けられることができる。引張り部材４８は次いで、任意の適切なローピング構成でつり合いおもり３２およびかご３０に作動的に接続可能である。もちろん、これらの構成要素の複数の異なる実施例または構成が、エレベータシステム２０のモータおよびシーブについてのさまざまな構成および複数の引張り部材４８を含む一般的なシステムと共に可能である。
【００１６】
図２において、電子制御装置１３８内で設計され得るブレーキ装置１４０が開示される。装置１４０は、電子制御装置１３８内で設計される必要がないこと、そして、それ自体で独立した回路として設計されまたはエレベータ２０内の任意の他の構成要素内に組み込まれることができることを理解されたい。ブレーキ装置１４０は、モータ駆動装置１４２、ブレーキ駆動装置１４４、信号変換器１４６、第１のスイッチ１４８、および第２のスイッチ１５０を備えることができる。第１および第２のスイッチ１４８、１５０は、閉状態および開状態を有することができる。スイッチ（１４８、１５０）が閉状態にある時、モータ駆動装置１４２がモータ１３６に電力供給することができ、ブレーキ駆動装置１４４がブレーキシステム１５２に電力供給することができるように、モータ１３６およびブレーキシステム１５２は、装置１４０に電気的に接続可能である。電源１５６および安全チェーン１５４も、装置１４０に電気的に接続可能である。
【００１７】
電源１５６が、安全チェーン１５４、モータ駆動装置１４２、ブレーキ駆動装置１４４、第１のスイッチ１４８、および第２のスイッチ１５０に電力供給することができる。電源１５６は、限定される訳ではないが、電子制御装置１３８およびオペレータインターフェース４０、４２などのエレベータ２０内の他の構成要素に電力供給することができることを理解されたい。さらに、電源１５６は、電力供給される構成要素の電力の必要に応じて、交流（ＡＣ）電源または直流(ＤＣ)電源を提供することができる。さらに、エレベータ２０は、システム２０内のさまざまな構成要素に電力供給するために２つ以上の電源を組み込むこともできる。例えば、１つの電源がモータ駆動装置１４２に電力供給することができ、一方、別の１つの電源がブレーキ駆動装置１４４に電力供給することができる。
【００１８】
安全チェーン１５４は、エレベータ２０の位置およびドアの状態を示すように設計された不連続な数のスイッチを有する独立した回路とすることができる。さらに、エレベータ２０のその他の構成要素の安全状態を監視するように設計された他の多数のスイッチを設けることもできる。これらのスイッチは、直列回路内で一緒に配線することができる。これらのスイッチの１つが閉じていない場合、この回路は、「開」と見なされることができ、エレベータ２０は作動しないことになる。
【００１９】
エレベータ２０が電力損失すなわち電源１５６の故障を経験するか、または安全チェーン１５４がシステム２０内の故障を示す、すなわち回路１５４が「開」となった場合、エレベータは、緊急モードに入ることができる。緊急モードでは、エレベータ２０は、エレベータかご３０を円滑かつ安全に停止させる必要がある。このようなタスクを実行するために、ブレーキ装置１４０は、電源１５６からの電力損失または安全チェーン１５４からの故障を検出し、第１および第２のスイッチ１４８、１５０を閉状態から開状態に移行させることができる。開状態では、第１および第２のスイッチ１４８、１５０は、モータ１３６をブレーキシステム１５２に電気的に接続する。信号変換器１４６は、モータ１３６とブレーキシステム１５２の間にあって、モータ１３６からの信号を、ブレーキシステム１５２によって受け取られる許容可能な形態に変換するのを助けるように設計されることができる。
【００２０】
例示的な一実施例では、モータ１３６は、逆起電力（ｃｏｕｎｔｅｒ  ｅｌｅｃｔｒｏｍｏｔｉｖｅ  ｆｏｒｃｅ）すなわち逆ＥＭＦ（ｃｏｕｎｔｅｒ  ＥＭＦ）（ｂａｃｋ  ＥＭＦとしても知られる）を生成することができる。モータ１３６を回転させるように電圧が供給され得る間、モータ１３６内の誘導電流に対抗するようにモータ１３６によって逆ＥＭＦが生成され得る。モータ１３６の回転速度（ＲＰＭ）が増加または減少するにつれ逆ＥＭＦもそれぞれ増加または減少するように、逆ＥＭＦの値は、モータ１３６のＲＰＭによって決定され得る。モータ１３６の逆ＥＭＦがモータ駆動装置１４２によって供給される電圧より小さくなり得るかぎり、モータ１３６は駆動され得る。いったんエレベータ２０が緊急モードを経験すると、第１および第２のスイッチ１４８、１５０は、開状態に移行することができ、次いでモータ１３６は、モータ駆動装置１４２から接続が解除されることができ、ブレーキシステム１５２に電気的に接続されることができる。この時点で、モータ１３６に供給される電圧は、モータ駆動装置１４２の接続が解除されているのでゼロとなるはずであり、生成される逆ＥＭＦより小さくなり、モータ１３６は、逆ＥＭＦでブレーキシステム１５２に電力供給することでブレーキシステム１５２に対する発電機として作用し得る。同時に、逆ＥＭＦは、エレベータ２０にブレーキトルクを提供し得る。モータ１３６に対する駆動シャフト４４、トラクションシーブ４６、引張り部材４８、およびエレベータかご３０の機械的負荷は、エレベータかご３０を円滑に速度低下させるブレーキトルクとして使用されながら、モータ１３６のＲＰＭが減少する間に、逆ＥＭＦを散逸させ得る。逆ＥＭＦがエレベータ２０のためのブレーキトルクへと散逸するにつれ、ブレーキシステム１５２は、もはやモータ１３６によって電力供給されることができなくなる。いったんブレーキシステム１５２が、電力遮断されると、ブレーキシステム１５２は、係合して、エレベータかご３０を摩擦によって停止させることができる。逆ＥＭＦによって供給されるブレーキトルクとブレーキシステム１５２の摩擦係合との組み合わせによって、エレベータ２０のための制御された緊急停止を提供することができる。
【００２１】
ここで図３、図４を参照すると、別の実施例のブレーキ装置２４０が開示される。図４は、通常の作動での装置２４０を示しており、図３は、緊急モード時の装置２４０を示している。ブレーキ装置２４０は、モータ駆動装置２４２、ブレーキ駆動装置２４４、信号変換器２４６、第１のスイッチ２４８、および第２のスイッチ２５０を備えることができる。第１および第２のスイッチ２４８、２５０は、電磁リレーとすることができる。電磁リレー２４８、２５０は、１つの状態から別の状態に接触を切り換えるために付勢または消勢され得るコイル２４８ａ、２５０ａを用いることができる。第１および第２のスイッチ２４８、２５０は、リレー以外に、限定される訳ではないが、１つの状態から別の状態に移行可能な論理装置、センサまたは任意の他の装置などの、任意の他の種類のスイッチとすることができることを理解されたい。信号変換器２４６は、変圧器２５８および整流器２６０を備えることができる。変圧器２５８は、電圧を逓減する方法を提供することができ、一方、整流器２６０は、ＡＣ電源をＤＣ電源に変換することができる。変圧器２５８および整流器２６０は、当業技術内で知られた他の電気的関数を実行することができ得ることを理解されたい。さらに、信号変換器２４６は、信号を、入力される１つの形態から出力される所望の形態へと変換するのに必要な他の電気的構成要素および／または回路を備えることができる。
【００２２】
モータ２３６、ブレーキシステム２５２、電源２５６、および安全チェーン２５４は、ブレーキ装置２４０に電気的に接続され得る。安全チェーン２５４は、そのスイッチの１つが開になるとエレベータ２０内で故障が起こったという信号を装置２４０に送る。電源２５６は、モータ駆動装置２４２、ブレーキ駆動装置２４４、リレー２４８、２５０、安全チェーン２５４、および電力を必要とするエレベータ２０内の任意の他の構成要素に電力供給することができる。電源２５６は、ＡＣまたはＤＣ電源とすることができることを理解されたい。さらに、エレベータ２０は、その構成要素に電源供給するために複数の電源を組み込むことができる。さらに、モータ駆動装置２４２およびブレーキ駆動装置２４４は、モータ２３６およびブレーキシステム２５２にそれぞれ電力供給するために、ＡＣからＤＣへの変換またはその逆の変換をすることができ得る。
【００２３】
モータ２３６は、限定される訳ではないが、ＡＣまたはＤＣブラシレスモータなどの永久磁石モータとすることができる。さらに、モータ２３６は、３つの端子を有する三相モータとすることができる。モータ２３６は、逆ＥＭＦを生成することができ得る。永久磁石モータでは、電機子と呼ばれる、ワイヤから成るコイルが、それに電流が通過され得るとき回転するような仕方で、永久磁石の磁界内に配置され得る。電流によって、電機子は回転することができ、それによって次いで、印加された電圧に対抗する電圧が生成され得る。電機子の回転によって生成される誘導電圧は、モータ２３６によって生成される逆ＥＭＦと呼ばれ得る。ブレーキシステム２５２は、１つまたは複数のブレーキコイル２５２ａを備えることができる電気機械的ブレーキシステムとすることができる。ブレーキシステム２５２に電力供給すると、ブレーキコイル２５２ａは、磁気的引力を介してブレーキシステム２５２を非係合にする。いったんブレーキコイル２５２ａがもはや電力供給されなくなると、ブレーキシステム２５２は、係合し得る。
【００２４】
図３に示したように、通常モードでは、電源２５６は、閉状態となるようにリレー２４８、２５０に電力供給することができ、それによって、モータ駆動装置２４２およびブレーキ駆動装置２４４はそれぞれ、モータ２３６およびブレーキシステム２５２に電力供給することができる。緊急の場合には、図４に示されるように、リレー２４８、２５０は、開状態に移行することができ、開状態では、モータ２３６の２つの端子は、信号変換器２４６を間に介してブレーキシステム２５２に電気的に接続されることができる。緊急事態は、電源２５６がもはやシステム２０に電力供給しないかまたは安全チェーン２５４がシステム２０内の故障を検出すると発生し得る。いったん安全チェーン２５４がシステム２０内の故障に起因して開となると、リレー２４８、２５０はもはや電力供給されず、従って、開状態に移行することができる。
【００２５】
いったんモータ２３６がブレーキシステム２５２に電気的に接続されると、モータ２３６の逆ＥＭＦは、図５に示されるように、ブレーキシステム２５２がエレベータかご３０を摩擦によって停止させるように係合し得るまで、エレベータ２０のためのブレーキトルクとして作用し得る。モータ２３６がブレーキシステム２５２に電気的に接続されると、モータ２３６の逆ＥＭＦは、ブレーキシステム２５２を非係合に維持するようにブレーキコイル２５２ａを付勢することができる。同時に、逆ＥＭＦは、エレベータ２０にブレーキトルクを提供することができる。図６に示されるように、逆ＥＭＦが、エレベータかご３０を速度低下させるブレーキトルクとして使用されることで、散逸し始めると、逆ＥＭＦは、ブレーキコイル２５２ａを付勢し続けるには弱くなりすぎるようになり、その時点で、ブレーキシステム２５２は、係合して、エレベータかご３０を摩擦によって停止させることができる。
【産業上の利用可能性】
【００２６】
上述を考慮すると、本開示は、エレベータ用のブレーキ装置を示していることが理解され得る。エレベータは、頻繁に停止しながら、乗客を１つの階床から次の階床へと輸送するのに連続的に使用される。特に緊急の場合にエレベータかごが円滑にかつ摩擦によって停止するのを保証するように、エレベータのブレーキシステムが依拠される。緊急事態は、エレベータが電力損失または故障を経験する時に発生し得る。緊急の場合は、ブレーキ装置は、エレベータが円滑にかつ摩擦によって停止するのを保証し得る。ブレーキ装置は、非係合位置に止まるようにブレーキシステムに電力供給するようモータによって生成される逆ＥＭＦを提供し得る。逆ＥＭＦは同時に、エレベータのためのブレーキトルクを提供する。いったん逆ＥＭＦが、エレベータのためのブレーキトルクとして使用されることで散逸してしまうと、もはやブレーキシステムに電力供給することはできない。この時点でブレーキシステムは、エレベータかごを摩擦によって停止させるように係合し得る。逆ＥＭＦによって提供されるブレーキトルクとブレーキシステムの摩擦係合との組み合わせが、エレベータ用のブレーキを提供し得る。
【００２７】
特定の実施例のみを説明してきたが、上述の説明から当業者には代替例または修正例が明らかであろう。これらと他の代替例は、均等物と見なされ、本開示の趣旨および範囲に含まれる。
【図１】
2013527100.tif 000003
【図２】
2013527100.tif 000004
【図３】
2013527100.tif 000005
【図４】
2013527100.tif 000006
【図５】
2013527100.tif 000007
【図６】
2013527100.tif 000008
【国際調査報告】
2013527100.tif 000009
2013527100.tif 000010